(57)【要約】【課題】  電子カメラと無線LANユニット等オプション機器の接続時のノイズの影響の軽減。【解決手段】  無線LANユニットと接続するコネクタを電子カメラ底面・左下に配置する。電子カメラは左側にデジタル系回路ブロックを内蔵し、前記コネクタはデジタル系回路ブロックの直下位置に配置する。無線LANユニットの左側に回路基板を内蔵し、回路基板の上部に前記コネクタと結合する無線LAN側のコネクタを配置して、電子カメラ本体と結合する。  また、電子カメラ本体とオプション機器それぞれの外部コネクタを左側面部に設ける。【選択図】  図２
2007336276.tif 000002
【特許請求の範囲】
【請求項１】
被写体像を撮像素子により撮像する電子カメラ本体と底面に着脱可能な外部ユニットで構成され、撮像素子の背面部に、撮像信号のアナログ系処理を行うアナログ系回路ブロックが配置され、該アナログ系回路ブロックの横でカメラの背面から見た左側に画像処理系を含むデジタル系回路ブロックが配置された電子カメラにおいて、
電子カメラ本体の背面から見た左側面に外部機器とのコネクタを持ち、電子カメラ本体と外部ユニットの電気的なコネクタが電子カメラ本体の背面から見た左端の底面でデジタル系回路ブロックの直下位置と外部ユニットの上面で少なくとも一部を行っており、該コネクタにより、少なくとも画像情報を含むデータの授受が行われ、外部ユニットの背面から見た左側面に外部機器とのコネクタを持つ事を特徴とする電子カメラ。
【請求項２】
前記外部ユニットが、無線LAN機能を有する無線LANユニットである事を特徴とする請求項１記載の電子カメラ。
【発明の詳細な説明】
【技術分野】
【０００１】
本発明は、撮像素子を有する電子カメラで、特に無線LANユニット等の外部ユニットが着脱可能な電子カメラの回路基板及び外部コネクタレイアウトに関するものである。
【背景技術】
【０００２】
近年、被写体像を撮像素子を用いて撮像し、撮像された画像信号をA/D変換し、デジタル信号として処理して記録媒体に記録する所謂デジタルスチルカメラが普及している。また、デジタルスチルカメラに接続され、無線LAN機能を付加する無線LANユニットも製品化されている。
【０００３】
この種のデジタルスチルカメラは、一般的に次のような回路を搭載している。
【０００４】
・撮像素子で撮像された画像信号(アナログ信号)をデジタル信号にA/D変換する回路、
・撮像画像のデジタル信号を一時的に蓄えるバッファメモリ、
・バッファメモリに蓄えられたデジタル信号を処理して画像データを生成する回路、
・生成された画像データを外部機器と授受する為の入出力回路(以下I/O)処理回路、
・記録媒体からデジタル信号を読み出す回路、
・デジタル信号をD/A変換によりアナログ信号に変換し、内蔵した表示装置に出力する回路、
・各種センサやスイッチ(以下SW)類やカメラアクチュエータの駆動等を制御するカメラ動作制御回路。
【０００５】
このようにデジタルスチルカメラは、極めて大規模な電子回路が必要となる一方、機器の小型化が求められている。一眼レフタイプのデジタルスチルカメラでは一般的に、これらの大規模な電子回路を撮像素子の背面に配置した単一の基板または複数の基板上に実装している(例えば、特許文献1参照)。従来のデジタルスチルカメラでは、無線LAN機能を付加する無線LANユニットと本体の接続は、カメラの左側面に設けられたデジタルI/O端子を利用して接続が行われていた。
【特許文献１】特開2005-303608号公報
【発明の開示】
【発明が解決しようとする課題】
【０００６】
近年電子機器とこれに接続される外部機器とのデータ通信は、時代の要請により容量及び速度ともに年々大容量化、高速化している。デジタルスチルカメラにおいても例外ではなく、外部機器との通信容量及び通信速度の向上が求められている。そのため、前述のI/O端子も高速通信に対応したものが必要となってきている。
【０００７】
また、接続する外部機器との高速通信を実現する為には、カメラ内の配線のみならず外部機器との接続ケーブルも高速通信に対応したものが必要となる。このような高速通信の接続ケーブルは、それ自体がノイズの発生源となると共に、外部ノイズに対するアンテナともなり、対ノイズ性が非常に問題となっている。
【課題を解決するための手段】
【０００８】
本発明の一側面としての電子カメラは、被写体像を撮像素子により撮像する電子カメラ本体と底面に着脱可能な外部ユニットで構成される電子カメラで、撮像素子の背面部に、撮像信号のアナログ系処理を行うアナログ系回路ブロックが配置され、該アナログ系回路ブロックの横でカメラの背面から見た左側に画像処理系を含むデジタル系回路ブロックが配置された電子カメラにおいて、電子カメラ本体の背面から見た左側面に外部機器とのコネクタを持ち、電子カメラ本体と外部ユニットの電気的なコネクタが電子カメラ本体の背面から見た左端の底面でデジタル系回路ブロックの直下位置と外部ユニットの上面で少なくとも一部を行っており、該コネクタにより、少なくとも画像情報を含むデータの授受が行われ、外部ユニットの背面から見た左側面に外部機器とのコネクタを持つ事を特徴とする。
【０００９】
また、本発明の他の側面としての電子カメラは、前記外部ユニットが無線LAN機能を有する無線LANユニットである事を特徴とする。
【発明の効果】
【００１０】
本発明によれば、以下の効果が得られる。
【００１１】
(1)無線LAN等の外部ユニットとの画像データの授受時にアナログ系回路に対するノイズの影響を軽減する事が出来ると共に、外部ユニットとの信号のやり取り時に外部に対するノイズ発生及び外部のノイズの影響を軽減できる。
【００１２】
(2)外部コネクタ及びデジタル系回路がカメラの左側に集中配置されるので、シールドが分散されないので小型化が可能で、低コスト化を図る事が出来る。
【００１３】
(3)外部コネクタ類がカメラのグリップと反対側の左側面に出るので、ホールディング性に優れる。
【発明を実施するための最良の形態】
【００１４】
以下、本発明の実施例を図1乃至図3を用いて説明する。図1は本実施形態における電子カメラの要部電気構成を示すブロック図で、図2は本実施形態における電子カメラを背面から見た要部構成図、図3は本実施形態における電子カメラを左側面から見た要部構成図である。
【００１５】
まず、図1を用いて本実施形態における電子カメラの要部電気構成を説明する。図1において、1は電子カメラ本体、2は着脱式の無線LANユニットである。3は、光学像を電気信号に変換するCCDやCMOS等から成る撮像素子である。101は撮像素子3の駆動及び制御を行う撮像素子駆動/制御回路である。
【００１６】
102は撮像素子3から出力されたアナログ信号をデジタル信号に変換するA/D変換回路である。
【００１７】
103は第一画像処理回路であり、A/D変換回路102から出力されたデジタル信号を処理して画像データを生成し、この画像データをバッファメモリ104へ保存したり、後述の第二画像処理回路105に出力する処理を施す。105は第二画像処理回路であり、第一画像処理回路103から出力された画像データを用いて画像圧縮及び伸長処理や画素補間処理、色変換処理等の画像処理を施したり、画像をTFT表示パネル107に表示するための画像処理を施し、表示処理回路106に画像データを出力する処理を施す。表示処理回路106はビデオ端子4を介して外部モニタに画像を表示する機能も有している。108はI/O制御回路であり、外部のパソコン等と外部コネクタ5を介して信号の授受を行う。外部コネクタ5で授受される信号は、USB等の比較的低速な信号である。109は外部記録媒体制御回路であり、第二画像処理回路105で処理された画像データを外部記録媒体110へ送り、または外部記憶媒体110内のデータをカメラ本体内部へ送る等のデータの授受を制御する通信制御回路である。
【００１８】
カメラに着脱可能な外部記録媒体110は、半導体メモリや磁気ディスク等で構成される記録部、更にカメラと接続するためのインターフェース及びコネクタを備えている。
【００１９】
106は表示処理回路であり、第二画像処理回路105から出力される画像信号をTFT表示パネル107に表示したり、ビデオ端子4を介して外部モニタに出力したりする処理を行う。111はカメラのSW類であり、例えばカメラ機能選択SWやメインSW、レリーズSW、撮影モード切替SW等である。112はカメラの液晶表示装置であり、白黒の反射型液晶等の電力を殆ど消費しない液晶パネルで構成されている。液晶表示装置112は、例えば撮影モードやレンズの絞り値、シャッタスピード値、ISO感度等の各種情報を表示する。113は、測光センサやAFセンサ等の各種センサ類である。114は、シャッタやミラー等のチャージ駆動を行うカメラアクチュエータ類である。
【００２０】
115は高速通信回路であり、底面コネクタ6を介し、無線LANユニット2の上面コネクタ7と信号の授受を行う。ここで授受される信号は高クロックの高速通信で行われ、撮影画像を含む多量の情報がやりとりされる。116はデジタル回路制御マイコンである。このデジタル回路制御マイコン116は、CPUバスを介して第一画像信号処理回路103、第二画像信号処理回路105、I/O制御回路108、外部記録媒体制御回路109、高速通信回路115と通信し、データの授受を行い、これらを統括的に制御している。117はカメラ回路制御マイコンであり、SW類111の状態検知、センサ類113の制御と情報取得、液晶表示装置112への情報表示、カメラアクチュエータ類114の制御や、これらに関わる各種演算処理を統括的に行う。
【００２１】
カメラ回路制御マイコン117とデジタル回路制御マイコン116は、互いに通信し、協調してカメラ全体の制御を行う。120は、無線LANユニット2の全体のコントロールを行うコントロール回路である。
【００２２】
コントロール回路120は、上面コネクタ7を介して電子カメラ本体1と信号の授受を行う。121は通信コネクタで、LANやUSB等のコネクタで構成されている。122は無線LAN回路、10は外部アンテナである。123は、無線LANユニット2の電源回路である。
【００２３】
本発明の電子カメラは、無線LANユニット2を着脱可能に構成され、無線LANユニット2の装着時には、無線LAN機能・有線LAN機能・USBインターフェースによる外部記録媒体コントロール(外付けハードディスクやUSBメモリのコントロール)を実現している。無線LANユニット2の装着時は、電子カメラ本体１の底面コネクタ6と無線LANユニット2の上面コネクタ7が結合し、デジタル回路制御マイコン116からの信号で無線LANユニット2のコントロール回路120がコントロールされる。高速通信回路115から底面コネクタ6を介して授受される信号は、画像信号を含む大容量データであり、無線/有線LANのスループットのボトルネックとならない様に十分な高速でやりとりがなされている。
【００２４】
次に、図3を用いて本実施形態の電子カメラの要部構成の説明をする。なお、図1に対応する部分については同じ番号をつけてある。
【００２５】
本実施形態の電子カメラは、レンズ交換式のデジタル一眼レフカメラと底面に着脱可能に装着されるオプションユニットの形態をとっている。図1と同様に1は電子カメラ本体、2は着脱式の無線LANユニット、3は撮像素子である。11は撮像基板で、撮像基板11には、アナログ系回路ブロック12とデジタル系回路ブロック13が配置されている。11a、11bは撮像基板11のシールドケースである。
【００２６】
アナログ系回路ブロック12は図3に示されている様に撮像素子3の背面部に配置されており、信号の引き回しの距離を短縮している。撮像素子3からの信号は不図示のフレキシプルプリント基板により、アナログ系回路ブロック12に繋がっている。
【００２７】
アナログ系回路ブロック12は、図1の撮像素子駆動制御回路101とA/D変換回路102が含まれており、ノイズに弱い信号を処理している。A/D変換後は、ノイズに対してマージンのあるデジタル信号として扱われる。デジタル系回路ブロック13は、図2のデジタル回路制御マイコン116、第一画像信号処理回路103、バッファメモリ104、第二画像信号処理回路105、表示処理回路106、I/O制御回路108、外部記録媒体制御回路、高速通信回路115が含まれており、A/D変換後の画像処理から記録を主として行っている。デジタル系回路ブロック13に直結する形でビデオ端子4、外部コネクタ5、底面コネクタ6が配置されている。
【００２８】
図3に示されている様に、ビデオ端子4と外部コネクタ5は電子カメラ本体1を背面から見た時、左側側面に配置されている。底面コネクタ6は電子カメラ本体1の左側底面で、デジタル系回路ブロック13の直下部に配置されている。また、ビデオ端子4、外部コネクタ5、底面コネクタ6は全て撮像基板11上に直結されており、信号の引き回しを短縮している。14はカメラ系基板で、図1のカメラ回路制御マイコン117と、それに付随する回路が含まれている。カメラ系基板14と撮像基板11は不図示のフレキシブルプリント基板により繋がっている。無線LANユニット2の上面には、電子カメラ本体1の底面に配置された底面コネクタ6に対応する位置に上面コネクタ7が配置されている。
【００２９】
上面コネクタ7は無線LANユニット2の上面から突出する形態となっている。上面コネクタ7はコネクタ基板15上に実装されている。16はコントロール基板、16aはコントロール基板16のシールドケースである。コントロール基板16には、図1のコントロール回路120が配置されていると共に、LANコネクタ8とUSBコネクタ9も配置されている。LANコネクタ8とUSBコネクタ9が図1の通信コネクタ121に対応している。LANコネクタ8とUSBコネクタ9は無線LANユニット2の左側面部に配置されている。
【００３０】
17は電源基板、17aと17bは電源基板17のシールドケースである。電源基板17には、電池18から電力が供給されている。電源基板17と電池18が図1の電源123に対応している。電源基板17はコントロール基板16とフレキシブルプリント基板19により繋がっている。20は無線基板で、図1の無線LAN基板122に対応している。無線基板20はBtoBコネクタ21によりコントロール基板16と結合すると共に、アンテナ10と繋がっている。22はコネクタ基板15とコントロール基板16を繋いでいるフレキシブルプリント基板である。
【００３１】
上記構成により、電子カメラ本体1のコネクタ類と無線LANユニット2のコネクタ類と外部アンテナ10は全てカメラの左側面に配置され、カメラのホールディング時にコード類が邪魔になることが無い効果が得られている。
【００３２】
上記無線LANユニット2の配置では、カメラのグリップ側に電池を配置すると共に、回路基板系と外部インターフェース系を左側に配置しており、高速な信号が授受される信号ラインを短縮しており、ノイズや信号の減衰等の軽減出来る効果が得られている。また、左側に集中配置する事により、シールドの必要な箇所の分散を避けられる効果が得られている。
【図面の簡単な説明】
【００３３】
【図１】本発明の電子カメラの要部電気構成を示すブロック図
【図２】本発明の電子カメラの背面から見た要部構成図
【図３】本発明の電子カメラの左側面から見た要部構成図
【符号の説明】
【００３４】
1  電子カメラ本体
2  無線LANユニット
3  撮像素子
5  外部コネクタ
6  底面コネクタ
7  上面コネクタ
8  LANコネクタ
9  USBコネクタ
10  外部アンテナ
12  アナログ系回路ブロック
13  デジタル系回路ブロック
【図１】
2007336276.tif 000003
【図２】
2007336276.tif 000004
【図３】
2007336276.tif 000005